(57)【要約】【課題】ディスプレイのアドレス指定を改善し、よりフレキシブルにすること【解決手段】ディスプレイシステム（３００）は、制御コンフィギュレーションを有する制御可能な照明素子（３３０）と、照明素子のコンフィギュレーションを決定するように照明素子（３３０）に問い合わせするようになっているコントローラ（３１０）とを含む。コントローラ（３１０）は、更に照明素子を制御するための制御コンフィギュレーションに従って入力情報を出力情報に変換するようになっており、ここでＬＥＤは出力情報に従ってあるパターンを表示する。このパターンはＬＥＤのうちの所望のＬＥＤをマスクすることによって表示でき、この場合、マスクに基づくアドレス指定が出力情報を圧縮し、その情報の細部を小さくする。入力情報および出力情報は異なる座標アドレス指定情報を含む。【選択図】図６
2009521006.tif 000002
【特許請求の範囲】
【請求項１】
ディスプレイシステムであって、
制御コンフィギュレーションを有する複数の制御可能な照明素子と、前記コンフィギュレーションを決定するために前記複数の制御可能な照明素子に問い合わせするように構成されているコントローラとを備え、前記コントローラは、更に前記複数の制御可能な照明素子を制御するため前記制御コンフィギュレーションに従って、入力情報を出力情報に変換するように構成されているディスプレイシステム。
【請求項２】
前記入力情報は、第１座標のアドレスおよび第２座標のアドレスのうちの一方を含み、前記出力情報は、前記第１座標のアドレスおよび前記第２座標のアドレスのうちの他方を含む、請求項１に記載のディスプレイシステム。
【請求項３】
前記第１座標のアドレスは、デカルト座標アドレスを含み、前記第２座標のアドレスは極座標アドレスを含む、請求項２に記載のディスプレイシステム。
【請求項４】
ネットワークを更に備え、前記複数の制御可能な照明素子と前記コントローラとは、前記ネットワークを通して互いに通信するように構成されている、請求項１に記載のディスプレイシステム。
【請求項５】
前記ネットワークは、前記複数の制御可能な照明素子を検出し、前記複数の制御可能な照明素子が存在することを前記コントローラに通知するように構成されている、請求項４に記載のディスプレイシステム。
【請求項６】
前記複数の制御可能な照明素子は、前記コントローラを有するネットワークへの接続、および前記コントローラからの要求信号の受信のうちの１つがあったときに、前記制御コンフィギュレーションを前記コントローラに提供するように構成されている、請求項１に記載のディスプレイシステム。
【請求項７】
前記複数の制御可能な照明素子は、前記出力情報に従ってパターンを表示する、請求項１に記載のディスプレイシステム。
【請求項８】
前記パターンは、前記複数の制御可能な照明素子のうちの所望の素子をマスクすることにより表示される、請求項７に記載のディスプレイシステム。
【請求項９】
前記出力情報は、前記出力情報のサイズを低減するように構成されているマスクに基づくアドレス指定を含む、請求項７に記載のディスプレイシステム。
【請求項１０】
前記複数の制御可能な照明素子は、発光ダイオードを含む、請求項７に記載のディスプレイシステム。
【請求項１１】
照明システムを制御する方法であって、
複数の制御可能な照明素子の制御コンフィギュレーションを提供するステップと、
前記制御コンフィギュレーションに従って入力情報を出力情報に変換するステップと、
前記出力情報により、前記複数の制御可能な照明素子を制御するステップとを備える、照明システムを制御する方法。
【請求項１２】
前記入力情報は、デカルト座標アドレスおよび極座標アドレスのうちの一方を含み、前記出力情報は、前記デカルト座標アドレスおよび前記極座標アドレスのうちの他方を含む、請求項１１に記載の方法。
【請求項１３】
前記提供ステップは、ネットワークを通して前記入力情報および前記出力情報のうちの少なくとも１つを通信するステップを含む、請求項１１に記載の方法。
【請求項１４】
前記複数の制御可能な照明素子を検出するステップと、
前記複数の制御可能な照明素子が存在することを前記出力情報のソースに通知するステップとを更に含む、請求項１１に記載の方法。
【請求項１５】
前記提供ステップは、ネットワークへの接続および前記出力情報のソースからの要求信号のうちの１つに応答するものである、請求項１１に記載の方法。
【請求項１６】
前記複数の制御可能な照明素子により、前記出力情報に従いパターンを表示するステップを更に含む、請求項１１に記載の方法。
【請求項１７】
前記出力情報に従いパターンを表示するよう、前記複数の制御可能な照明素子のうちの所望の照明素子をマスクするステップを更に含む、請求項１１に記載の方法。
【請求項１８】
前記出力情報に従いパターンを表示するよう、前記複数の制御可能な照明素子のマスクに基づくアドレス指定を行うステップを更に含む、請求項１１に記載の方法。
【請求項１９】
前記複数の制御可能な照明素子は、発光ダイオードを含む、請求項１１に記載の方法。
【請求項２０】
ディスプレイシステムであって、
複数の制御可能な照明素子の制御コンフィギュレーションを提供する手段と、
前記制御コンフィギュレーションに従って入力情報を出力情報に変換する手段と、
前記出力情報により、前記複数の制御可能な照明素子を制御する手段とを備える、ディスプレイシステム。
【請求項２１】
前記複数の制御可能な照明素子を検出するための手段と、
前記複数の制御可能な照明素子が存在することを前記出力情報のソースに通知するための手段とを更に備えた、請求項２０に記載のディスプレイシステム。
【発明の詳細な説明】
【技術分野】
【０００１】
本発明は、ディスプレイデバイスおよびその制御に関し、より詳細には、ＬＥＤに基づくマトリックスディスプレイのアドレス指定方式に関する。
【背景技術】
【０００２】
ソリッドステート照明（ＳＳＬ）の出現により、極めて複雑で、動的および静的なカラー照明効果を実現することが可能となりつつある。これら効果は多数の素子および入力、例えばコントローラ、センサおよびオーディオビジュアル（ＡＶ）ストリームに基づくことができる。種々のデバイス内でＬＥＤを個々に使用することに加えて、マルチメディアコンテンツのためのディスプレイ（例えばビデオ壁掛けディスプレイまたはビデオスクリーンディスプレイ）として働くように、ＬＥＤをマトリックス構成（コンフィギュレーション）で使用することができる。種々のサイズおよび形状のマトリックスディスプレイを作成するためにＬＥＤを種々のコンフィギュレーションに配置することができる。従って、種々の形態および座標系の情報を使用するこれら種々のマトリックスタイプのデバイスを記述しかつ制御するための簡単な機構が要求される。
【発明の開示】
【発明が解決しようとする課題】
【０００３】
まず、簡単なデカルト座標ｘ，ｙに基づくアドレス指定機構で一見充分のようであるが、これは簡単な不規則形状のディスプレイにさえ当てはまらない。その理由は、デカルト座標に基づかない（すなわち不規則な）形状を記述するのにデカルト座標を用いた場合、高解像度が必要であり、よって多数のＬＥＤおよび関連する座標ポイントが必要となる。この場合、より良好な方式が考え出されれば、多くのＬＥＤは余分でかつ不必要となる。ＬＥＤスクリーンディスプレイ上で不規則形状を表示するためデカルト座標のアドレス指定をするには、不規則形状を近似することも必要であり、この結果、劣った結果が生じ得る。例えばディスプレイ内のかかる不規則形状の近似をスムーズにするため、デカルト座標のアドレス指定を使用して表示された不規則形状の画質を改善するには、アンチエリアシングが必要である。これは、計算集約的であり、コンピュータの電力および処理時間を浪費する。従って、ディスプレイのアドレス指定を改善し、フレキシブルにすることが望まれている。
【０００４】
従って、新規なディスプレイシステムは、制御コンフィギュレーションを有する制御可能な照明素子と、それらのコンフィギュレーションを決定するために照明素子に問い合わせをするように構成されているコントローラとを備える。制御可能な照明素子は、例えば発光ダイオード（ＬＥＤ）を含む。コントローラは、更に照明素子を制御するため制御コンフィギュレーションに従って入力情報を出力情報に変換するように構成されており、ここで照明素子は出力情報に従ってパターンを表示する。このパターンは照明素子のうちの所望の要素をマスクすることによって表示でき、この場合、マスクに基づくアドレス指定は出力情報を圧縮し、そのサイズを小さくする。
【０００５】
入出力情報は、異なる座標アドレス指定情報を含む。コントローラおよび照明素子は、例えばネットワークを通して相互に通信し、ここでネットワークは照明素子のネットワークへの新しい接続を検出し、その存在をコントローラに通知する。上記とは異なり、または上記に加え、照明素子は、ネットワークへの接続時および／またはコントローラからの要求の受信時に、コントローラに対して照明素子の制御コンフィギュレーションを提供する。
【０００６】
このＬＥＤは、異なる形状の画像を効率的に表示できる任意の所望の形状を有するＬＥＤのアレイまたはマトリックスとして構成できる。ＬＥＤディスプレイデバイス内の不要なＬＥＤモジュールの数を実質的に低減（または可能な場合には除去）するために、異なる形状のマトリックスに対して異なるアドレス指定方式を使用する。それぞれのアドレス指定座標はコントローラによって計算されるが、コントローラはＬＥＤディスプレイと別個のデバイスでもよいし、または例えばＬＥＤディスプレイ内に組み込み、よってＬＥＤディスプレイの制御を最適にしてもよい。アドレス指定可能なピクセルを有するように構成された任意のタイプのディスプレイを使用できると理解すべきである。ここでは、ＬＥＤディスプレイまたはマトリックスがディスプレイデバイスと称される。周知のように、１つのカラーピクセルを、セットされた３つのＬＥＤ、すなわち赤色ＬＥＤ、緑色ＬＥＤおよび青色ＬＥＤとすることができる。当然ながら、ディスプレイをカラーの代わりに白黒としてもよく、この場合、画像を形成するのに異なるグレースケールが使用される。
【０００７】
照明ネットワークシステムにおいてディスプレイデバイスとして配置されたＬＥＤマトリックスまたはアレイは、ＬＥＤディスプレイの座標系と異なる座標系で作動するようになっているコントローラと相互作用するにもかかわらず、または異なる座標系の記述を有する画像にもかかわらず、種々の形状の高画質の画像を効率的に表示するように、効率的に作動するように構成されている。例えばデカルト座標のアドレス／座標を極座標のアドレス／座標に変換するように構成されているコントローラを介して、極座標またはアドレスを有する画像を良好に表示するように構成されているＬＥＤディスプレイ上で、デカルト座標の記述を有する特定の形状を効率的に表示することができる。
【０００８】
下記の説明は、かかる極座標のディスプレイに関連するが、この逆も可能であると理解すべきである。すなわちディスプレイは、画像のデカルト座標表示に良好に適し、デカルト座標のアドレス指定ユニットを有するが、一方、コントローラは、例えばデカルト座標のディスプレイを制御して、極座標で記述された形状の画像を表示するように構成されている。
【０００９】
具体例では、ＬＥＤマトリックスの各座標点は、的確な物理的位置にある単一のＬＥＤモジュールにマッピングされる。異なる座標方式の間の変換を含むことで、例えばデカルト座標マトリックスおよび極座標マトリックス、またはその他の座標アドレス指定方式を、個々のＬＥＤをアドレス指定するために使用できる。しかしながら、本明細書に開示の特定のシステム、方式、技術および方法の使用は、ＬＥＤマトリックスデバイスだけに限定されるものでなく、例えばテレビスクリーン、標識および当業者が認識するような他のタイプのディスプレイにも適当に適用できると理解すべきである。
【００１０】
例えば極座標を使用するようにＬＥＤマトリックスを構成できる。例えばサポートマトリックスコントローラは、デカルト座標のみを理解する。システム内の中央コントローラ（ＬＥＤマトリックスと統合することもできる）は、極座標系の使用を理解することが可能で、デカルト座標を極座標に変換することが可能とされる。
【００１１】
ディスプレイシステムは、ＬＥＤベースのマトリックス表示を記述するために、複数の座標アドレス指定方式およびアドレス指定方式のマスクに基づく記述および幾何学的記述を使用し、これは異なる座標アドレス指定方式の間の変換を含む。二次元の座標方式に関連してシステムについて説明するが、当業者であれば、三次元の方式、例えば球形、円筒形などの方式も同じように使用できることが理解できるはずである。
【００１２】
以下説明する詳細な説明から、本発明を適用できる別の分野が明らかとなろう。詳細な説明および特定の例は、本発明の実施例を示すが、単に説明のためのものにすぎず、発明の範囲を限定するものではない。次の説明、請求の範囲および添付図面から、本発明の装置および方法の上記およびそれ以外の特徴、態様および利点について、より良好に理解できるようになろう。
【発明を実施するための最良の形態】
【００１３】
次の所定の実施例の説明は、本来的に単なる例に過ぎず、発明、その応用または使用を限定するものではない。図１は、ＬＥＤの矩形の二次元４×４マトリックスまたはアレイ１００を示し、各要素は、ＬＥＤモジュールまたはＲＧＢピクセル１０５によって表されている。このアレイ１００は他のアレイと組み合わせてもよいし、または任意の所望のサイズまたは形状とすることができ、ＬＥＤディスプレイを形成するのに、所望の任意の数のピクセルまたはＬＥＤを有する。かかるマトリックスを記述し、そのＬＥＤをアドレス指定するのに標準的なデカルト座標方式（スキーム）を使用できる。デカルト座標方式では、例えばマトリックス１００の頂部左コーナーに原点（ｘ＝０およびｙ＝０であるゼロ座標点）が位置するとの従来の仮定によりマトリックスを記述する。従って、例えば頂部右コーナー１１５にあるＬＥＤモジュールは、（ｘ＝３、ｙ＝０）とアドレス指定されることになる。
【００１４】
しかしながら、円、楕円、不規則形状（例えばハート形状など）のような一部の形状を、デカルト座標を使って記述されるマトリックス上に描くには、アンチエリアシングのような高解像度かつ計算集約的技術が必要となる。ＬＥＤディスプレイ上にかかる形状をより効率的に描く、すなわち表示するため、異なる座標アドレス指定方式（スキーム）が使用される。図２は、極座標で記述されるＬＥＤマトリックス１５０を示す。このマトリックス形状は、２つの同心円状及び円周方向に位置するＬＥＤモジュールの組（半径＝１および半径＝２を有する）と、２つの円周の中心にある中心ＬＥＤモジュール１５５により形成され、ＬＥＤモジュールはＲＧＢのトリプレット（３つの値）を示す３つの重なった円として示されている。図中のかかる３つの重なった円はＲＧＢトリプレットを示すことに留意されたい。マトリックス１５０は、最大半径＝２および４５°の回転方向の角度ステップを有する極座標マトリックスとして記述できる。マトリックスの個々のＬＥＤは、異なる半径および角度座標を使ってアドレス指定できる。例えば、中心のＬＥＤモジュール１５５のすぐ右のＬＥＤモジュール１６０は、中心からの距離が１であること、および角度ゼロに位置することを示す座標（１，０°）を有する。同じように、第１象限内の外側の円上のＬＥＤモジュール１６５は、座標（２，４５°）を有し、中心の下の外側の円上のＬＥＤモジュール１７０は、座標（２，２７０°）を有する。
【００１５】
マトリックスの各ピクセルを構成する例えば赤色−緑色−青色（ＲＧＢ）トリプレットを記述するマスクに基づくアドレス指定方式を使用して、任意の座標系（デカルト座標、極座標または三次元座標）で構成されたＬＥＤディスプレイ上に、画像または種々の形状を表示できる。図３は、マスクベースのパターンの記述２００の使用、およびその結果生じる９つの駆動された単色の（例えば赤色）ＬＥＤ２２０のマトリックスパターン２１０を示している。
【００１６】
また、アドレス指定のためのマスクベース方式（スキーム）は、不規則な形状のマトリックスを記述するのにも使用できる。例えば、不規則な形状は、マスクの特定領域内だけにＬＥＤが存在するようなマスクされた四角形またはデカルト座標方式で定めることができる。同じように、例えば図２に示された極座標では、任意の形状、または規則的な形状、例えば円弧もしくは円を記述するのにマスクを使用できる。改変例では、これら形状を、例えば円(半径)、弧(半径，開始角度，終点角度)として幾何学的に記述することもできる。また、デカルト座標、例えばDrawSquare（始点Ｘ＝０，始点Ｙ＝０，サイズ＝３）内、または別のタイプの座標内の所定のマトリックス形状またはパターンのアドレス指定のために、幾何学的記述方式も使用できる。幾何学的マスクおよび／または完全な記述マスクのような、種々のマスクを使用できる。更にデバイスディスカバリーのためにマスクを使用できることに留意されたい。
【００１７】
異なる制御デバイスに対し、異なるアドレス指定方式を使用するには、ある方式から別の方式へ座標を変換するための変換手順およびそれぞれの構造が必要である。各タイプのネットワークは、自己のディスカバリーおよび記述技術を有するだけでなく、データ伝送のための異なるプロトコルも使用する。システム内の複数のデバイスが異なる座標方式を使用する場合、変換手順を使用できる。例えばＬＥＤマトリックスは極座標を使って構成できるが、例えばサポートマトリックスコントローラはデカルト座標のみを理解する。
【００１８】
図６に示すように、ディスプレイシステム３００内の中央コントローラ３１０は、極座標を理解し、またデカルト座標を極座標に変換し、この逆に極座標をデカルト座標に変換可能となっている。すなわち、中央コントローラ３１０は、極座標をデカルト座標にマッピングするように構成されており、デカルト座標は、照明マトリックスディスプレイデバイス３３０のマトリックスコントローラまたはドライバ３２０によって理解され、マトリックスディスプレイ３４０によって表示される。ＬＥＤマトリックスが照明システム内の中央コントローラによって理解されない座標アドレス指定方式を使用している場合、同様な座標変換を使用できる。このような場合、マトリックスコントローラは、中央コントローラが理解する座標アドレス指定方式を、マトリックスコントローラが理解する座標アドレス指定方式へ変換可能に構成することができる。
【００１９】
図４は、ピクセル１−１０の各々に対するデカルト座標から極座標への変換を示しており、ここで図４の左側グラフにおけるＸ座標は、このＸ座標が指定する半径（図４の右側グラフの第１極座標）に変換され、図４の左側グラフにおけるＹ座標は、このＹ座標が指定する角度（図４の右側グラフにおける第２極座標）に変換される。
【００２０】
図５は、各ピクセルに対するデカルト座標から三角座標へのｙ軸変換を示しており、ここで図５の左側グラフにおけるＹ座標は、例えば正のｘ方向にｙ軸を任意の角度（例えば９０°未満の角度）だけ傾けることにより、図５の右側グラフでの対応する座標に変換される。
【００２１】
図６は、照明コントローラデバイス３１０と照明マトリックスデバイス３３０とを備える照明ネットワーク３５０を含むディスプレイシステム３００を示す。照明コントローラデバイス３１０は、ネットワーク３５０と通信する照明ネットワークドライバ３６０と、照明ネットワークドライバ３６０と通信し、照明コントローラデバイス３１０の構成を可能にするユーザインターフェース３６５とを備えている。照明マトリックスデバイス３３０は、ネットワーク３５０と通信する照明ネットワークドライバ３７０と、照明ネットワークドライバ３７０と通信するＬＥＤドライバ３２０と、ＬＥＤドライバ３２０によって制御されるＬＥＤマトリックス３４０とを備えている。ユーザーは、中央コントローラ３１０とも称される照明コントローラデバイスのユーザインターフェース３６５を介して、特に異なる座標アドレス指定方式を有することが可能な照明マトリックス３３０で、アドレス指定方式の変換手順を可能化するようにコントローラを構成することができる。例えばＬＥＤマトリックス３４０は極座標を使って構成でき、ここでは、このマトリックスの各ＬＥＤピクセルは８ビットの赤色、緑色および青色を表示することができる。
【００２２】
一般に他の実施例では、例えばディスプレイデバイスのアドレス指定方式の記述を認識及び理解し、この方式を制御デバイスのアドレス指定方式に変換するように構成された変換デバイスにより、アドレス指定方式変換手順を可能化（イネーブル）する異なる変換手段を有してもよい。同一または異なる変換デバイスが、制御デバイスによって発生されたコマンドを、制御デバイスのアドレス指定方式からディスプレイデバイスのアドレス指定方式に変換できるようにしてもよい。このことは、ディスプレイデバイスがこのコマンドを実行し、よって画像を表示することを可能にする。このような変換デバイスは、制御デバイス内またはディスプレイデバイス内に組み込んでもよいし、または別個に設置してもよい。また、ハードウェア、ファームウェア、任意の適当な媒体上のソフトウェアの一部、またはこれら組み合わせとして、このデバイスを具現化することもできる。
【００２３】
大きなマトリックスまたはより高い解像度のディスプレイに対し、ランレングス符号化のようなデータ圧縮技術を使用して、データトラフィック，処理パワーおよび処理時間を低減してもよい。米国特許出願公開第２００３／００７６２８８号（参照によりその全体を援用する）に開示されているようなデータ圧縮用の多くの異なる方法および技術を使用することができ、この米国特許出願公開は、圧縮されたデータ入力を受信し、２段のデコーディング（すなわち特定信号の周波数に基づき符号化されたハフマン符号化データのデコーディング、およびランレングス符号化データのデコーディング）を使用して、各コラムラインのための個々のデコードモジュールにより、圧縮データをパラレルにデコードするマトリックスディスプレイドライバについて述べており、ここでは圧縮アルゴリズムは、データの冗長性を使用してバンド幅条件を低減している。
【００２４】
図６に示された実施例によれば、ディスプレイデバイス３００をディスカバーし制御するために、照明（または中央）コントローラ３１０は次のことを実行するように構成されている。
（ａ）照明マトリックスデバイス（または制御可能な照明素子）３３０（例えば極座標アドレス指定方式を有する）と、照明コントローラ３１０（例えばデカルト座標アドレス方式を有する）とを、同じネットワーク３５０に接続すること
（ｂ）ネットワーク３５０内に新しいデバイス（マトリックスデバイス３３０）が存在することを、ネットワーク３５０がコントローラ３１０に指示すること
（ｃ）コントローラ３１０がマトリックスデバイス３３０にそのデバイス記述について問い合わせをすること
（ｄ）マトリックスデバイス３３０が、このマトリックスデバイスのアドレス指定方式の第１部分であるマトリックスデバイスの座標方式（この例では、３つの属性：MaxRadius（最大半径），RadiusStep（半径ステップ），AngleStep（角度ステップ）を有する極座標タイプである）の記述、およびこのマトリックスデバイスのアドレス指定方式の第２部分である幾何学的記述（この場合、図７のタグ＜ServiceDescription＞と＜/ServiceDescription＞との間で指定され、あらかじめプログラムされたDrawFilledCircle機能を使用して、４つの状態変数またはパラメータ：Radius（半径），RedValue，GreenValue，BlueValueで機能を実行するアルゴリズムを実現する）をリターンすること。上記第１部分と第２部分の双方は、例えば図７に示されるように、ＸＭＬを使って符号化される。デバイスディスカバリーは必ずしも不可欠ではないことに留意されたい。一部のネットワーク（例えばＸ１０，ＤＭＸ）はこれをサポートしないが、システムはそれでも作動できる。デバイスを座標方式専用にし、インストーラーによってマッチングすることができる。改変例では、所定の座標方式で作動するように、インストーラー（ソフトウェアダウンロード、ＤＩＰスイッチの設定）によりデバイスを構成してもよい。しかしながら、デバイスディスカバリーネットワークは、利用できれば実施を容易にし、改善する。
（ｅ）例えばパラメータに割り当てられた特定の値（Radius＝３，RedValue＝２５５，GreenValue＝０，BlueValue＝０）で前記DrawFilledCircleを使用すること（図８）を指示するＸＭＬ符号化されたコマンドを送ることにより、更にコントローラ３１０がマトリックスデバイス３３０を制御すること。当然ながら、効率のために多数のコマンドを１つの制御メッセージにまとめることができる。同じコマンドを多数のディスプレイに一度にマルチキャストすることもできる。
（ｆ）マトリックスデバイス３３０によりコマンドが実行されるとき、図９に示されるマトリックスの円周方向に位置する附勢された複数の単色ピクセル４００の形態で、マトリックス記述に従って作成された画像をＬＥＤマトリックス３４０が表示すること。
【００２５】
当業者であれば理解できるように、図７および８に示されたインストラクションおよび記述は、完全に形成された正式なＸＭＬ符号ではなく、抜粋（スニペット）／断片（フラグメント）であり、ここでは明確にするために、例えばネームスペースおよびヘッダーが含まれる。当業者であれば、かかるインストラクションまたはコマンドをＸＭＬまたは他の任意のタイプの符号またはソフトウェアで構成する他の方法があることも更に理解できよう。すなわち図７および８に示された所与の例では、記述およびコマンドは、ＸＭＬタイプであるが、一般的には他の適当なフォーマットでも符号化できる。更に、これらは図３に示されたものと同じ、マトリックスデバイスのアドレス指定方式のマスクに基づく部分も含むことができる。しかしながら、符号ライン＜DeviceMask＞False＜/DeviceMask＞により図７で示されているこの部分は、所与の例ではアドレス指定のために使用されていない。幾何学的記述は、Ｃ＋＋、Ｊａｖａ（登録商標）またはかかるタイプの機能に適当な他の任意のプログラム言語で記載できる。
【００２６】
ディスプレイシステム３００は、ディスプレイの個々の照明素子（ピクセル）または所定の領域をアドレス指定し、例えばかかる素子の必要な数を低減し、データ処理を最適にし、ディスプレイデバイスの特定の形状または他の特性を効率的に利用するよう、極座標方式または他の任意の座標方式を含む異なる座標アドレス指定方式の多数のコントローラ、またはコンピュータハードウェア、ファームウェア、ソフトウェア、他のデバイスまたはメディアの一部、もしくはそれらの組み合わせによる使用を可能にする。かかる使用は、例えばネットワークに接続されたディスプレイデバイスを制御する能力、およびデバイスが異なる座標アドレス指定方式で作動していても相互に作動できるデバイスの能力を含む。
【００２７】
コントローラは、Ｉ／Ｏ信号を送受信し、メモリ内に記憶されたインストラクションを実行できる、米国特許出願公開第２００３／００５７８８７号に記載されているような任意のタイプのコントローラまたはプロセッサとすることができ、メモリも米国特許出願公開第２００３／００５７８８７号に記載されているような任意のタイプのメモリ、ＲＡＭ、ＲＯＭ、取り外し自在なメモリ、ＣＤ−ＲＯＭなどとすることができる。ハードウェア、ソフトウェア、ファームウェアなどの単独またはこれらの組み合わせにより、種々の制御およびドライバ機能を実現できると理解すべきである。更にコントローラ／ドライバは、物理的デバイスとすることができ、これら物理的デバイスは単独の別個のユニットまたは他のユニットと組み合わせたユニットでもよいし、または他のユニットに一体化してもよいし、他のユニットの一部でもよい。例えば照明マトリックスデバイス３３０と一体化してもよいし、このデバイスの一部としてもよい。当然ながら、照明マトリックスデバイス３３０と一体化した場合でも、別個のコントローラユニットの代わりにコントローラおよび／またはドライバの所望の機能を提供するように、ソフトウェア、ファームウェアおよび／またはハードウェアを変更することおよび／または追加することにより、例えば照明マトリックスデバイス３３０のあらかじめ存在する回路を変更してもよい。当然ながら、必要に応じ、ディスプレイシステムには他のプロセッサ、このプロセッサによって実行すべきインストラクションを記憶するメモリ、および他の要素が含まれてもよい。
【００２８】
最後に、これまでの説明は本発明を説明するためのものにすぎず、特許請求の範囲を特定の実施例または複数の実施例のグループに制限するものと見なしてはならない。従って、本発明の特定の実施例を参照し、本発明について特に詳細に説明したが、特許請求の範囲に記載した発明の広範な要旨から逸脱することなく、多数の変形および変更も行うことができると理解すべきである。従って、明細書および図面は説明のためのものであり、特許請求の範囲を制限するものではない。
【００２９】
特許請求の範囲を解釈するに当たり、次のように理解すべきである。
ａ）「含む」および「備える」なる用語は、特定のクレームに記載したもの以外の他の要素またはステップが存在することを排除するものではない。
ｂ）要素に先行する「１つの」または「ある」なる用語は、かかる要素が複数存在することを排除するものではない。
ｃ）特許請求の範囲に記載された参照符号は特許請求の範囲を制限するものではない。
ｄ）同じアイテムまたはハードウェア、もしくはソフトウェアで実現される構造または機能により、数個の「手段」を表示できる。
ｅ）これまで開示した要素の各々は、ハードウェア部分（例えばディスクリート電子回路）、ソフトウェア部分（例えばコンピュータプログラム）またはそれらの任意の組み合わせから構成できる。
【図面の簡単な説明】
【００３０】
【図１】規則的な矩形状の４×４のＬＥＤマトリックスの図である。
【図２】極座標を使用したＬＥＤマトリックスの図である。
【図３】マスクに基づくパターン記述のサンプル図である。
【図４】デカルト座標から極座標への変換の略図であり、ここで、Ｘ座標はRadius（第１極座標）に変換され、Ｙ座標はAngle（第２極座標）に変換されている。
【図５】デカルト座標から三角座標への変換の略図であり、ここで、Ｙ座標は水平軸に対して９０°未満の角度を有する軸線の対応する座標に変換されている。
【図６】照明コントローラデバイスおよび照明マトリックスデバイスを含む照明ネットワークの部分略図である。
【図７】ＸＭＬで記載されたＬＥＤマトリックスデバイスの記述コードの一例である。
【図８】ＬＥＤマトリックスデバイスへのＸＭＬで記載された符号化コマンドの一例である。
【図９】極座標の単色モノクローム（例えば赤色）の円形状を表示する図である。
【符号の説明】
【００３１】
１−１０    ＲＧＢピクセル
１００    マトリックス（アレイ）
１０５    ＲＧＢピクセル
１５０    ＬＥＤマトリックス
１５５，１６０，１６５，１７０  ＬＥＤモジュール
２１０    マトリックスパターン
３００    ディスプレイシステム
３１０    照明コントローラデバイス
３２０    ＬＥＤドライバ
３３０    照明マトリックスデバイス
３４０    ＬＥＤマトリックス
３５０    照明ネットワーク
３６０    照明ネットワークドライバ
３６５    ユーザインターフェース
３７０    照明ネットワークドライバ
【図１】
2009521006.tif 000003
【図２】
2009521006.tif 000004
【図３】
2009521006.tif 000005
【図４】
2009521006.tif 000006
【図５】
2009521006.tif 000007
【図６】
2009521006.tif 000008
【図７】
2009521006.tif 000009
【図８】
2009521006.tif 000010
【図９】
2009521006.tif 000011
【手続補正書】
【提出日】平成20年8月26日(2008.8.26)
【手続補正１】
【補正対象書類名】特許請求の範囲
【補正対象項目名】全文
【補正方法】変更
【補正の内容】
【特許請求の範囲】
【請求項１】
ディスプレイシステムであって、
制御コンフィギュレーションを有する複数の制御可能な照明素子と、前記コンフィギュレーションを決定するために前記複数の制御可能な照明素子に問い合わせするように構成されているコントローラとを備え、前記コントローラは、更に前記複数の制御可能な照明素子を制御するため前記制御コンフィギュレーションに従って、入力情報を出力情報に変換するように構成されており、
前記入力情報は、第１座標のアドレスおよび第２座標のアドレスのうちの一方を含み、前記出力情報は、前記第１座標のアドレスおよび前記第２座標のアドレスのうちの他方を含む、ディスプレイシステム。
【請求項２】
前記第１座標のアドレスは、デカルト座標アドレスを含み、前記第２座標のアドレスは極座標アドレスを含む、請求項１に記載のディスプレイシステム。
【請求項３】
ネットワークを更に備え、前記複数の制御可能な照明素子と前記コントローラとは、前記ネットワークを通して互いに通信するように構成されている、請求項１に記載のディスプレイシステム。
【請求項４】
前記ネットワークは、前記複数の制御可能な照明素子を検出し、前記複数の制御可能な照明素子が存在することを前記コントローラに通知するように構成されている、請求項３に記載のディスプレイシステム。
【請求項５】
前記複数の制御可能な照明素子は、前記コントローラを有するネットワークへの接続、および前記コントローラからの要求信号の受信のうちの１つがあったときに、前記制御コンフィギュレーションを前記コントローラに提供するように構成されている、請求項１に記載のディスプレイシステム。
【請求項６】
前記複数の制御可能な照明素子は、前記出力情報に従ってパターンを表示する、請求項１に記載のディスプレイシステム。
【請求項７】
前記パターンは、前記複数の制御可能な照明素子のうちの所望の素子をマスクすることにより表示される、請求項６に記載のディスプレイシステム。
【請求項８】
前記出力情報は、前記出力情報のサイズを低減するように構成されているマスクに基づくアドレス指定を含む、請求項６に記載のディスプレイシステム。
【請求項９】
前記複数の制御可能な照明素子は、発光ダイオードを含む、請求項６に記載のディスプレイシステム。
【請求項１０】
照明システムを制御する方法であって、
複数の制御可能な照明素子の制御コンフィギュレーションを提供するステップと、
前記制御コンフィギュレーションに従って入力情報を出力情報に変換するステップと、
前記出力情報により、前記複数の制御可能な照明素子を制御するステップとを備え、
前記入力情報は、第１座標のアドレスおよび第２座標のアドレスのうちの一方を含み、前記出力情報は、前記第１座標のアドレスおよび前記第２座標のアドレスのうちの他方を含む、照明システムを制御する方法。
【請求項１１】
前記入力情報は、デカルト座標アドレスおよび極座標アドレスのうちの一方を含み、前記出力情報は、前記デカルト座標アドレスおよび前記極座標アドレスのうちの他方を含む、請求項１０に記載の方法。
【請求項１２】
前記提供ステップは、ネットワークを通して前記入力情報および前記出力情報のうちの少なくとも１つを通信するステップを含む、請求項１０に記載の方法。
【請求項１３】
前記複数の制御可能な照明素子を検出するステップと、
前記複数の制御可能な照明素子が存在することを前記出力情報のソースに通知するステップとを更に含む、請求項１０に記載の方法。
【請求項１４】
前記提供ステップは、ネットワークへの接続および前記出力情報のソースからの要求信号のうちの１つに応答するものである、請求項１０に記載の方法。
【請求項１５】
前記複数の制御可能な照明素子により、前記出力情報に従いパターンを表示するステップを更に含む、請求項１０に記載の方法。
【請求項１６】
前記出力情報に従いパターンを表示するよう、前記複数の制御可能な照明素子のうちの所望の照明素子をマスクするステップを更に含む、請求項１０に記載の方法。
【請求項１７】
前記出力情報に従いパターンを表示するよう、前記複数の制御可能な照明素子をマスクに基づくアドレス指定するステップを更に含む、請求項１０に記載の方法。
【請求項１８】
前記複数の制御可能な照明素子は、発光ダイオードを含む、請求項１０に記載の方法。
【請求項１９】
ディスプレイシステムであって、
複数の制御可能な照明素子の制御コンフィギュレーションを提供する手段と、
前記制御コンフィギュレーションに従って入力情報を出力情報に変換する手段と、
前記出力情報により、前記複数の制御可能な照明素子を制御する手段とを備え、
前記入力情報は、第１座標のアドレスおよび第２座標のアドレスのうちの一方を含み、前記出力情報は、前記第１座標のアドレスおよび前記第２座標のアドレスのうちの他方を含む、ディスプレイシステム。
【請求項２０】
前記複数の制御可能な照明素子を検出するための手段と、
前記複数の制御可能な照明素子が存在することを前記出力情報のソースに通知するための手段とを更に備えた、請求項１９に記載のディスプレイシステム。
【国際調査報告】
2009521006.tif 000012
2009521006.tif 000013
2009521006.tif 000014